(57)【要約】【課題】ユーザが記録媒体を異常状態のまま放置する可能性を低くする。【解決手段】記録処理中にメモリカード（ＭＳ）の取り外しがあるとき、データ修復を行うか否かをユーザに選択させるためのユーザインタフェース画面を表示する（図７（ａ））。ユーザがデータ修復を行うか否かが選択されるまで、他の動作モードに移行しない。データ修復を行うことが選択されたとき、カード装着部１２３から取り外された（抜き取られた）メモリカードの再装着を促すユーザインタフェース画面を表示する（図７（ｃ），（ｄ））。修復対象のメモリカードが装着されるとき、データ修復を実行するか否かをユーザに選択させるためのユーザインタフェース画面を表示する（図７（ｅ））。一方、データ修復を行わないことが選択されたとき、データ修復の中止をユーザに確認させるためユーザインタフェース画面を表示する（図７（ｆ））。【選択図】図７
2009157986.tif 000002
【特許請求の範囲】
【請求項１】
記録媒体を着脱自在に装着する記録媒体装着部と、
上記記録媒体装着部に装着された記録媒体にデータを記録するデータ記録部と、
上記記録媒体に上記データ記録部によりデータが記録されている途中で上記記録媒体が上記記録媒体装着部から取り外されてデータの記録が中断されるとき、データ修復を行うか否かをユーザに選択させるための第１のユーザインタフェース画面を表示する表示制御部と
を備えることを特徴とするデータ記録装置。
【請求項２】
上記表示制御部は、
上記第１のユーザインタフェース画面に基づいてデータ修復を行うことが選択されたとき、上記記録媒体装着部から取り外された記録媒体が再装着されるように誘導するための第２のユーザインタフェース画面を表示する
ことを特徴とする請求項１に記載のデータ記録装置。
【請求項３】
上記表示制御部は、
上記記録媒体装着部に記録媒体が装着されていないとき、第２のユーザインタフェース画面として、上記記録媒体装着部から取り外された記録媒体を装着することを促すユーザインタフェース画面を表示する
ことを特徴とする請求項２に記載のデータ記録装置。
【請求項４】
上記記録媒体装着部に取り付けられた記録媒体が、上記記録媒体装着部から取り外された記録媒体と同一であるか否かを判断する同一性判断部をさらに備え、
上記表示制御部は、
上記同一性判断部で同一でないと判断されたとき、上記第２のユーザインタフェース画面として、データ修復対象とは異なる記録媒体であることを示すユーザインタフェース画面を表示する
ことを特徴とする請求項２に記載のデータ記録装置。
【請求項５】
上記表示制御部により上記第１のユーザインタフェース画面が表示されるとき、該第１のユーザインタフェース画面に基づいてデータ修復を行うか否かが選択されるまで、他の動作モードに移行しないように制御するモード制御部をさらに備える
ことを特徴とする請求項１に記載のデータ記録装置。
【請求項６】
上記データ記録部は、
上記第１のユーザインタフェース画面に基づいてデータ修復を行わないことが選択されたとき、上記データの記録が中断されたために記録されずに残っているデータを破棄する
ことを特徴とする請求項１に記載のデータ記録装置。
【請求項７】
上記表示制御部は、上記第１のユーザインタフェース画面に基づいてデータ修復を行わないことが選択されたとき、データ修復の中止をユーザに確認させるための第３のユーザインタフェース画面をさらに表示し、
上記データ記録部は、上記第３のユーザインタフェース画面に基づいてデータ修復の中止が確認されるとき、上記データの記録が中断されたために記録されずに残っているデータを破棄する
ことを特徴とする請求項６に記載のデータ記録装置。
【請求項８】
被写体を撮像する撮像部をさらに備え、
上記記録媒体装着部に装着された記録媒体に上記データ記録部により記録されるデータは、上記撮像部で撮像されて得られた画像データである
ことを特徴とする請求項１に記載のデータ記録装置。
【請求項９】
記録媒体を着脱自在に装着する記録媒体装着部と、
上記記録媒体装着部に装着された記録媒体にデータを記録するデータ記録部とを備えるデータ記録装置におけるデータ修復誘導方法であって、
上記記録媒体に上記データ記録部によりデータが記録されている途中で上記記録媒体が上記記録媒体装着部から取り外されてデータの記録が中断されるとき、データ修復を行うか否かをユーザに選択させるための第１のユーザインタフェース画面を表示するステップと、
上記第１のユーザインタフェース画面に基づいてデータ修復を行うことが選択されたとき、上記記録媒体から取り外された記録媒体が再装着されるように誘導するための第２のユーザインタフェース画面を表示するステップと
を有することを特徴とするデータ記録装置におけるデータ修復誘導方法。
【発明の詳細な説明】
【技術分野】
【０００１】
この発明は、データ記録装置およびデータ記録装置におけるデータ修復誘導方法に関する。詳しくは、この発明は、データが記録されている途中で記録媒体が記録媒体装着部から取り外されてデータの記録が中断されるとき、データ修復を行うか否かをユーザに選択させるためのユーザインタフェース画面を表示することにより、ユーザが記録媒体を異常状態のまま放置する可能性を低くしたデータ記録装置等に係るものである。
【背景技術】
【０００２】
従来、カムコーダ（ビデオカメラレコーダ）として、ビデオテープ、ＤＶＤ（DigitalVersatile Disc）、ハードディスクドライブ等の記録媒体を着脱自在に装着して使用するものが普及している。このようなカムコーダにおいては、記録処理中に記録媒体が取り出されると、記録媒体上に記録された画像データが破損し、当該画像データを正常に読み出せなくなるばかりか、記録媒体自体が破損し、当該記録媒体自体が使用不可能となるおそれがある。そこで、このようなカムコーダでは、一般的に、記録処理中に記録媒体が取り出されないようロックすることが行われている。
【０００３】
近年、メモリースティック（ソニー株式会社の登録商標）などのメモリカードを記録媒体として使用するカムコーダが提案されている（例えば、特許文献１参照）。メモリカードは主に携帯電話やデジタルスチルカメラなどの電子機器に先行して使用されており、これらの電子機器においては、上述したロック機能を採用していないものが多く、メモリカードはいつでも抜き差しできるというのがユーザの一般的な認識である。
【０００４】
従って、仮にカムコーダのメモリカード収納部にロック機構を設けると、ユーザに違和感を与えると共に、メモリカード収納部の構成が複雑になり、さらに、コストアップにもつながる。しかし、カムコーダにロック機構を設けない場合には、記録処理中にユーザによってメモリカードが抜き取られる危険性が生じる。記録処理中にメモリカードが抜き取られる場合には、記録中のデータが損失し、最悪の場合にはメモリカードの全記録領域が使用不可能になるという問題があった。
【０００５】
そこで、従来、記録中のメモリカードが抜き取られることにより生じる記録異常への対策として、カムコーダのメモリカード装着部に蓋を設け、蓋を開いたとき、およびメモリカードを抜き取られた結果として正常に記録が完了できなかったことを検出したとき、の２段階で警告表示を行っていた。また、次回抜き取られたメモリカードが装着されたときに、データの修復処理を行うかどうかの問い合わせを行っていた。この場合、抜き取られたメモリカードとは異なるメモリカードが装着された場合には、修復に使用するデータを破棄して新しいメモリカードに対して正常な記録が行われる状態となる。
【特許文献１】特開２００５−１７５８４４号公報
【発明の開示】
【発明が解決しようとする課題】
【０００６】
上述したように２段階の警告表示を行うようになされたカムコーダにあっては、例えば、以下のような問題点がある。
【０００７】
（１）ユーザが抜き取ったメモリカードに記録異常があることを忘れやすい。
（２）抜き取ったメモリカードを他の機器で使用したときに異常動作を起こす可能性が高いが、他の機器でこの異常状態の検出は困難である。このため、異常状態のまま記録媒体を運用し続けた結果、異常発生以降に記録した情報にも損害が出る可能性がある。
【０００８】
（３）抜き取ったメモリカードと異なるメモリカードを誤って装着すると修復が行えなくなる。特に、メモリカードが小型で個体識別用のラベルの貼り付けができないと、修復すべきメモリカードの取り違えが起こりやすい。
【０００９】
この発明の目的は、ユーザが記録媒体を異常状態のまま放置する可能性を低くすることにある。
【課題を解決するための手段】
【００１０】
この発明の概念は、
記録媒体を着脱自在に装着する記録媒体装着部と、
上記記録媒体装着部に装着された記録媒体にデータを記録するデータ記録部と、
上記記録媒体に上記データ記録部によりデータが記録されている途中で上記記録媒体が上記記録媒体装着部から取り外されてデータの記録が中断されるとき、データ修復を行うか否かをユーザに選択させるための第１のユーザインタフェース画面を表示する表示制御部と
を備えることを特徴とするデータ記録装置にある。
【００１１】
この発明においては、記録媒体を着脱自在に装着する記録媒体装着部が備えられている。記録媒体は、メモリカードに限られるものではなく、着脱自在のものであればよい。この記録媒体装着部に装着された記録媒体に、データ記録部により、データが記録される。データは、画像データ、音声データ、あるいはテキストデータ等である。例えば、被写体を撮像する撮像部が備えられおり、この撮像部で撮像されて得られた画像データが記録される。
【００１２】
記録媒体にデータ記録部によりデータが記録されている途中、つまり記録処理中に記録媒体が記録媒体装着部から取り外されてデータの記録が中断されるとき、表示制御部により、データ修復を行うか否かをユーザに選択させるための第１のユーザインタフェース画面が表示される。
【００１３】
このように、第１のユーザインタフェース画面が表示されることで、記録媒体を取り外したユーザは、取り外された記録媒体についてデータ修復の必要性を容易に認識でき、データ修復を行うことを選択することが予想される。従って、ユーザが記録媒体を異常状態のまま放置する可能性を低くできる。
【００１４】
この発明において、例えば、表示制御部は、第１のユーザインタフェース画面に基づいてデータ修復を行うことが選択されたとき、記録媒体装着部から取り外された記録媒体が再装着されるように誘導するための第２のユーザインタフェース画面を表示する、ようにされてもよい。
【００１５】
例えば、記録媒体装着部に記録媒体が装着されていないとき、第２のユーザインタフェース画面として、記録媒体装着部から取り外された記録媒体を装着することを促すユーザインタフェース画面が表示される。また、例えば、記録媒体装着部に取り付けられた記録媒体が、同一性判断部により記録媒体装着部から取り外された記録媒体と同一でないと判断されたとき、第２のユーザインタフェース画面として、データ修復対象とは異なる記録媒体であることを示すユーザインタフェース画面が表示される。
【００１６】
このように、第２のユーザインタフェース画面が表示されることで、ユーザは、記録処理中に取り外した記録媒体を容易かつ確実に再装着でき、当該記録媒体のデータ修復を速やかに実行させることができる。
【００１７】
また、この発明において、例えば、表示制御部により第１のユーザインタフェース画面が表示されるとき、この第１のユーザインタフェース画面に基づいてデータ修復を行うか否かが選択されるまで、他の動作モードに移行しないように制御するモード制御部をさらに備える、ようにされてもよい。このようにモード制御が行われることで、記録媒体を取り外したユーザが直ちにデータ修復を行うことを選択する確率が高くなり、ユーザが記録媒体を異常状態のまま放置する可能性を低くできる。
【００１８】
また、この発明において、例えば、データ記録部は、第１のユーザインタフェース画面に基づいてデータ修復を行わないことが選択されたとき、データの記録が中断されたために記録されずに残っているデータを破棄する、ようにされてもよい。これにより、データ記録部は、記録媒体装着部に次に装着される記録媒体に対して正常に記録できる状態となり、データ修復の要する時間を待たずに、記録可能とできる。
【００１９】
また、この発明において、例えば、表示制御部は、第１のユーザインタフェース画面に基づいてデータ修復を行わないことが選択されたとき、データ修復の中止をユーザに確認させるための第３のユーザインタフェース画面をさらに表示し、データ記録部は、第３のユーザインタフェース画面に基づいてデータ修復の中止が確認されるとき、データの記録が中断されたために記録されずに残っているデータを破棄する、ようにされてもよい。このように、ユーザの確認を求めることで、ユーザが誤ってデータ修復を行わないことを選択した場合に対処できる。
【発明の効果】
【００２０】
この発明によれば、データが記録されている途中で記録媒体が記録媒体装着部から取り外されてデータの記録が中断されるとき、データ修復を行うか否かをユーザに選択させるためのユーザインタフェース画面を表示するものであり、ユーザが記録媒体を異常状態のまま放置する可能性を低くできる。
【発明を実施するための最良の形態】
【００２１】
以下、図面を参照しながら、この発明の実施の形態について説明する。図１は、実施の形態としてのカムコーダ１００の外観構成例を示している。カムコーダ１００は、主に、撮像レンズ１１１等を有する本体部１２０と、ＬＣＤ（Liquid Crystal Display）パネル１１８とから構成されている。ＬＣＤパネル１１８は、本体部１２０に、回転接続部１２２により、水平方向及び鉛直方向の２方向に回転自在に連結されている。ユーザは、ＬＣＤパネル１１８の表示面を、所望の方向に向くように調整して使用できる。
【００２２】
本体部１２０およびＬＣＤパネル１１８の筐体面には、ユーザが種々の操作を行うための操作釦等が配置されたユーザ操作部１０２が形成されている。なお、ＬＣＤパネル１１８の画面上に、タッチパネル（図１には図示せず）が配置されている。ユーザは、タッチパネルに指で直接触れるか、あるいはペンで触れるかして、画面上の位置を指定し、種々の操作を行うことができる。
【００２３】
本体部１２０には、カード装着部１２３が設けられている。このカード装着部１２３には、記録媒体としてのメモリカード１１５、例えばメモリスティック（ＭＳ）が、着脱自在に装着される。図示の状態は、カード装着部１２３に、メモリカード１１５が装着されている状態を示している。カムコーダ１００において、撮像・記録時には、撮像レンズ１１１で取り込まれた撮像光に基づいて、撮像素子（図１には図示せず）で撮像処理が行われて撮像信号が得られる。そして、撮像素子で得られた撮像信号による画像（撮像画像）がＬＣＤパネル１１８に表示され、ユーザは撮像画像を視認できる。また、撮像素子で得られた画像データは、カード装着部１２３に装着されたメモリカード１１５に記録される。
【００２４】
図２は、カムコーダ１００の回路構成例を示している。このカムコーダ１００は、制御部１０１と、ユーザ操作部１０２と、電源回路１０３と、バッテリ１０４と、ＡＣ電源プラグ１０５と、電源スイッチ１０６と、撮像レンズ１１１と、撮像素子１１２と、撮像信号処理回路１１３と、記録部１１４と、メモリカード１１５と、ＯＳＤ回路（オンスクリーンディスプレイ回路）１１６と、重畳回路１１７と、ＬＣＤパネル１１８と、タッチパネル１１９とを有している。
【００２５】
制御部１０１は、カムコーダ１００の各部の動作を制御する。ユーザ操作部１０２は制御部１０１に接続されている。ユーザ操作部１５２は、上述したように、カムコーダ１００の本体部１２０およびＬＣＤパネル１１８の筐体面に配置された操作釦等である。制御部１０１は、電源回路１０３を介して、バッテリ１０４または商用電源に接続されたＡＣ電源プラグ１０５から電源の供給を受ける。制御部１０１は、ユーザのユーザ操作部１０２への操作入力に応じて電源をオン（ＯＮ）にする旨の操作入力信号が供給されると、電源スイッチ１０６を接続状態に切り替えて各部に電源を供給し、ユーザによる録画開始指示を待ち受ける待機モードに移行する。
【００２６】
撮像素子１１２は、例えば、ＣＣＤ(Charge Coupled Device)イメージセンサ、ＣＭＯＳ(Complementary Metal Oxide Semiconductor）イメージセンサ等で構成される。撮像素子１１２は、撮像レンズ１１１により撮像面に被写体の光学像が結像された状態で撮像処理を行って、撮像信号を出力する。撮像信号処理回路１１３は、撮像素子１１２から出力される撮像信号（アナログ信号）に対し、サンプルホールドおよび利得制御、アナログ信号からデジタル信号への変換、さらにホワイトバランス調整、ガンマ補正等を行って、撮像画像データを生成する。
【００２７】
記録部１１４は、メモリカード１１５を着脱自在に装着するためのカード装着部１２３を備えている。この記録部１１４は、ユーザによる録画開始指示に従って待機モードから記録モードに移行した後に、撮像信号処理回路１１３で得られた撮像画像データに対してＭＰＥＧ(Moving Picture Experts Group)方式でエンコード処理を行って圧縮符号化された記録データを生成し、この記録データをメモリカード１１５に記録する。この場合、記録データをファイルシステム上にファイルとして記録する記録フォーマットが採用される。記録部１１４は、記録データをメモリカード１１５に記録する際、例えばフラッシュメモリで構成される一時記憶部１１４ａに記録データおよび記録処理に付帯する情報を記録し、所定の量が蓄積される毎に、当該一時記憶部１１４ａからメモリカード１１５に記録データ転送して記録する。
【００２８】
ＯＳＤ回路１１６は、制御部１０１で発行された画面情報表示要求に従って、ＶＲＡＭ１１６ａ上に作成された画面情報表示信号を、走査単位で重畳回路１１７に送る。なお、制御部１０１は、警告表示を含む画面情報表示を行うために、ＯＳＤ回路１１６に画面情報表示要求を発行する。この意味で、制御部１０１は、表示制御部を構成している。重畳回路１１７は、撮像信号処理回路１１３で得られた撮像画像データに、ＯＳＤ回路１１６からの画面情報表示信号を重畳して、ＬＣＤパネル１１８に出力する。
【００２９】
ＬＣＤパネル１１８は、上述したように、例えば、ＬＣＤ、ＰＤＰ等で構成されている。タッチパネル１１９は、ＬＣＤパネル１１８の画面上の位置を指定する位置指定部を構成しており、ＬＣＤパネル１１８の画面上に配置されている。このタッチパネル１１９は、制御部１０１に接続されている。ユーザは、ＬＣＤパネル１１８の画面情報表示に対応してタッチパネル１１９上の所定位置を指で直接触れるか、あるいはペンで触れるかして、ＬＣＤパネル１１８の画面上で種々の操作を行うことができる。
【００３０】
次に、図２に示すカムコーダ１００の動作を簡単に説明する。
【００３１】
ユーザがユーザ操作部１０２により電源オンの操作を行うと、制御部１０１の制御により、電源スイッチ１０６が接続状態に切り替えられて各部に電源が供給され、ユーザによる録画開始指示を待ち受ける待機モードとなる。この待機モードでは、以下のような動作をする。
【００３２】
すなわち、撮像素子１１２で撮像処理が行われて得られた撮像信号は撮像信号処理回路１１３に供給される。この撮像信号処理回路１１３では、撮像素子１１２からの撮像信号に対し、サンプルホールドおよび利得制御、アナログ信号からデジタル信号への変換、さらにホワイトバランス調整、ガンマ補正等が行われて、撮像画像データが生成される。
【００３３】
また、制御部１０１で発行された画面情報表示要求に従って、ＯＳＤ回路１１６のＶＲＡＭ１１６ａ上に作成された画面情報表示信号が走査単位で重畳回路１１７に送られる。この重畳回路１１７では、撮像信号処理回路１１３で得られた撮像画像データに、ＯＳＤ回路１１６からの画面情報表示信号が重畳される。重畳回路１１７から出力される画面情報表示信号の重畳された撮像画像データは、ＬＣＤパネル１１８に供給される。これにより、ＬＣＤパネル１１８には、撮像画像が表示されると共に、この撮像画像上に、ユーザインタフェース画面としての画面情報表示が行われる。
【００３４】
上述の待ち受けモードにおいて、ユーザがユーザ操作部１０２により、あるいはタッチパネル１１９により記録開始指示を行うと、記録モードとなる。この記録モードでは、上述した待ち受けモードにおける動作の他に、さらに、以下のような動作をする。すなわち、記録部１１４では、撮像信号処理回路１１３で得られた撮像画像データに対してＭＰＥＧ方式でエンコード処理が行われて圧縮符号化された記録データが生成され、この記録データは一時記憶部１１４ａを介してメモリカード１１５に記録される。
【００３５】
次に、記録部１１４でメモリカード１１５に記録データが記録されている途中、つまり記録処理中にカード装着部１２３からメモリカード１１５が取り外されて記録データの記録が中断された場合における、制御部１０１の画面表示制御例について説明する。
【００３６】
記録処理中にメモリカード（ＭＳ：メモリースティック）１１５の取り外しがあったとき、図３（ａ）に示すような撮像画像の表示状態から、図３（ｂ）に示すような表示状態となる。つまり、図３（ｂ）に示す表示状態では、データ修復を行うか否かをユーザに選択させるためのユーザインタフェース画面が表示される。
【００３７】
このタッチパネル１１９の「はい」の表示箇所に対応した部分が押圧され、データ修復を行うことが選択されたとき、図３（ｃ）、図４（ａ）、図５（ａ）に示すように、カード装着部１２３から取り外された（抜き取られた）メモリカード１１５の再装着を促すためのユーザインタフェース画面が表示される。
【００３８】
カード装着部１２３にメモリカード１１５の装着（挿入）があった場合、そのメモリカード１１５が取り外されたメモリカード１１５と同一でないと判断されたとき、図４（ｂ）に示すような表示状態となる。つまり、図４（ｂ）に示す表示状態では、データ修復対象とは異なるメモリカード（ＭＳ：メモリースティック）であることを示すユーザインタフェース画面が表示される。ここで、メモリカード１１５の同一性の判断は、個体識別情報としてのＩＤを有する場合には、当該ＩＤを用いて行うことができる。制御部１０１は、同一性判断部を構成している。
【００３９】
また、カード装着部１２３にメモリカード１１５の装着（挿入）があった場合、そのメモリカード１１５が取り外されたメモリカード１１５と同一であると判断されたとき、図５（ｂ）に示すような表示状態となる。そして、タッチパネル１１９の「ＯＫ」の表示箇所に対応した部分が押圧されることにより、図５（ｃ）に示すような表示状態となる。
【００４０】
つまり、図５（ｃ）に示す表示状態では、データ修復を実行するか否かをユーザに選択させるためのユーザインタフェース画面が表示される。そして、タッチパネル１１９の「はい」の表示箇所に対応した部分が押圧され、データ修復を行うことが選択されたとき、図５（ｄ）に示すような表示状態となり、データ修復が行われる。この場合、前回の記録において、記録が中断されて一時記憶部１１４ａに残っている記録データ等がメモリカード１１５に転送されて記録されることで、データの修復が行われる。
【００４１】
また、記録処理中にメモリカード１１５の取り外しがあったとき、上述の図３（ａ）、図３（ｂ）に示したと同様に、図６（ａ）に示すような撮像画像の表示状態から、図６（ｂ）に示すような表示状態となり、データ修復を行うか否かをユーザに選択させるためのユーザインタフェース画面が表示される。
【００４２】
このユーザインタフェース画面に基づいて、例えばタッチパネル１１９の「いいえ」の表示個所に対応した部分が押圧され、データ修復を行わないことが選択されたとき、図６（ｃ）に示すように、データ修復の中止をユーザに確認させるためユーザインタフェース画面が表示される。この場合、タッチパネル１１９の「はい」の表示箇所に対応した部分が押圧され、データ修復を中止することが選択されたとき、データ修復が中止され、修復情報の破棄が行われる。この場合、前回の記録において、記録が中断されて一時記憶部１１４ａに残っている記録データ等が破棄される。
【００４３】
図７は、上述した制御部１０１による画面表示制御例をまとめて示したものである。すなわち、図７（ａ）に示すような撮像画像の表示状態から、記録処理中にメモリカード（ＭＳ：メモリースティック）１１５の取り外しがあると、図７（ｂ）に示すように、データ修復を行うか否かをユーザに選択させるためのユーザインタフェース画面が表示される。このユーザインタフェース画面に基づいて、ユーザがデータ修復を行うか否かが選択されるまで、他の動作モードに移行しない。
【００４４】
タッチパネル１１９の「はい」の表示箇所に対応した部分が押圧され、データ修復を行うことが選択されたとき、図７（ｃ）に示すように、カード装着部１２３から取り外された（抜き取られた）メモリカード１１５の再装着を促す表示状態となる。
【００４５】
カード装着部１２３にメモリカード１１５が装着（挿入）され、タッチパネル１１９の「ＯＫ」の表示箇所に対応した部分が押圧されるとき、そのメモリカード１１５が取り外されたメモリカード１１５と同一でないときは、図７（ｄ）に示すように、データ修復対象とは異なるメモリカード（ＭＳ：メモリースティック）であることを示すユーザインタフェース画面が表示される。この場合、カード装着部１２３に装着されたメモリカード１１５が取り外されると、再び、図７（ｃ）に示すように、カード装着部１２３から取り外された（抜き取られた）メモリカード１１５の再装着を促す表示状態となる。
【００４６】
また、図７（ｃ）示す表示状態で、カード装着部１２３にメモリカード１１５が装着（挿入）され、タッチパネル１１９の「ＯＫ」の表示箇所に対応した部分が押圧されるとき、そのメモリカード１１５が取り外されたメモリカード１１５と同一であるときは、図７（ｅ）に示すように、データ修復を実行するか否かをユーザに選択させるためのユーザインタフェース画面が表示される。
【００４７】
この表示状態において、タッチパネル１１９の「はい」の表示箇所に対応した部分が押圧され、データ修復の実行が選択されたとき、データ修復が行われる。一方、この表示状態において、タッチパネル１１９の「いいえ」の表示箇所に対応した部分が押圧され、データ修復を実行しないことが選択されたとき、再び、図７（ｃ）に示すように、カード装着部１２３から取り外された（抜き取られた）メモリカード１１５の再装着を促す表示状態となる。
【００４８】
また、図７（ｂ）に示すように、データ修復を行うか否かをユーザに選択させるためのユーザインタフェース画面が表示されている状態で、タッチパネル１１９の「いいえ」の表示箇所に対応した部分が押圧され、データ修復を行わないことが選択されたとき、図７（ｆ）に示すように、データ修復の中止をユーザに確認させるためユーザインタフェース画面が表示される。
【００４９】
この表示状態において、タッチパネル１１９の「はい」の表示箇所に対応した部分が押圧され、データ修復の中止が選択されたとき、データ修復が中止され、修復情報の破棄が行われる。一方、この表示状態において、タッチパネル１１９の「いいえ」の表示箇所に対応した部分が押圧され、データ修復を中止しないことが選択されたとき、図７（ｂ）に示すように、再び、データ修復を行うか否かをユーザに選択させるためのユーザインタフェース画面が表示される状態となる。
【００５０】
図８のフローチャートは、記録処理中にカード装着部１２３からメモリカード１１５が取り外されて記録データの記録が中断された場合における、制御部１０１の制御動作例を示している。
【００５１】
まず、制御部１０１は、ステップＳＴ１において、制御動作を開始し、その後に、ステップＳＴ２の処理に移る。このステップＳＴ２において、制御部１０１は、データ修復を行うか否かをユーザに選択させるためのユーザインタフェース画面を表示する（図７（ｂ）参照）。次に、制御部１０１は、ステップＳＴ３において、データ修復を行うことが選択されたか否かを判断する。タッチパネル１１９の「はい」の表示箇所に対応した部分が押圧され、データ修復を行うことが選択されたとき、制御部１０１は、ステップＳＴ４において、カード装着部１２３から取り外された（抜き取られた）、修復対象としてのメモリカード１１５の装着を促すユーザインタフェース画面を表示する（図７（ｃ）参照）。
【００５２】
次に、ステップＳＴ５において、ユーザがカード装着部１２３にメモリカード１１５を装着すると、制御部１０１は、ステップＳＴ６において、装着されたメモリカード１１５が修復対象であるか否かを判断する。この場合、制御部１０１は、例えば、装着されたメモリカード１１５の個体識別情報としてのＩＤに基づいて、修復対象であるか否かを判断する。
【００５３】
装着されたメモリカード１１５が修復対象でないとき、制御部１０１は、ステップＳＴ７において、データ修復対象とは異なるメモリカード１１５であることを示すユーザインタフェース画面を表示し（図７（ｄ）参照）、その後に、ステップＳＴ５の処理に戻る。一方、装着されたメモリカード１１５が修復対象であるとき、ステップＳＴ８において、データ修復を実行するか否かをユーザに選択させるためのユーザインタフェース画面を表示する（図７（ｅ）参照）。
【００５４】
タッチパネル１１９の「はい」の表示箇所に対応した部分が押圧され、データ修復を実行することが選択されたとき、制御部１０１は、ステップＳＴ１０において、カード装着部１２３に装着されている修復対象としてのメモリカード１１５に対してデータ修復の処理を行い、その後に、ステップＳＴ１１において、撮影待機状態（待機モード）に戻る。一方、ステップＳＴ９でタッチパネル１１９の「いいえ」の表示箇所に対応した部分が押圧され、データ修復を実行しないことが選択されたとき、制御部１０１は、ステップＳＴ４の処理に戻り、再び、修復対象としてのメモリカード１１５の装着を促すユーザインタフェース画面を表示する（図７（ｃ）参照）。
【００５５】
また、上述のステップＳＴ３でタッチパネル１１９の「いいえ」の表示箇所に対応した部分が押圧され、データ修復を行わないことが選択されたとき、制御部１０１は、ステップＳＴ１２において、データ修復の中止をユーザに確認させるためユーザインタフェース画面を表示する（図７（ｆ）参照）。
【００５６】
次に、制御部１０１は、ステップＳＴ１３において、修復中止が選択されたか否かを判断する。タッチパネル１１９の「はい」の表示箇所に対応した部分が押圧され、データ修復を中止することが選択されたとき、制御部１０１は、ステップＳＴ１４において、修復情報を破棄し、その後に、ステップＳＴ１１において、撮影待機状態（待機モード）に戻る。一方、タッチパネル１１９の「いいえ」の表示箇所に対応した部分が押圧され、データ修復を中止しないことが選択されたとき、制御部１０１は、ステップＳＴ２の処理に戻り、再び、データ修復を行うか否かをユーザに選択させるためのユーザインタフェース画面を表示する（図７（ｂ）参照）。
【００５７】
以上説明したように、図１、図２に示すカムコーダ１００においては、記録処理中にカード装着部１２３からメモリカード１１５が取り外されて記録データの記録が中断された場合、ＬＣＤパネル１１８にデータ修復を行うか否かをユーザに選択させるためのユーザインタフェース画面が表示される。これにより、カード装着部１２３からメモリカード１１５を取り外したユーザは、取り外されたメモリカード１１５の記録異常を直ちに修復するように促され、また、その修復の必要性を容易に認識できるため、ユーザがメモリカード１１５を異常状態のまま放置する可能性を低くでき、また、他の機器でそのまま使用する可能性を低くできる。
【００５８】
また、図１、図２に示すカムコーダ１００においては、カード装着部１２３からメモリカード１１５を取り外されることを防止するための保護蓋を付けたり、さらに、記録処理中に保護蓋が開くのを防止するロック機構等が不要となるため、部品点数が少なく、かつ構成を簡単にでき、コストの削減ができる。
【００５９】
また、図１、図２に示すカムコーダ１００においては、データ修復を行うか否かをユーザに選択させるためのユーザインタフェース画面に基づいてデータ修復を行うことが選択されたとき、カード装着部１２３から取り外された、修復対象としてのメモリカード１１５が再装着されるように誘導するインタフェース画面が表示される。そのため、ユーザは、記録処理中に取り外したメモリカード１１５を容易かつ確実に再装着でき、当該メモリカード１１５のデータ修復を速やかに実行させることができる。また、修復対象の個体でないメモリカード１１５が装着されただけでは、データの記録が中断されたために記録されずに残っているデータ（修復情報）が破棄されないので、ユーザが本来の修復対象の個体であるメモリカード１１５を異常状態のまま放置する可能性を低くできる。
【００６０】
また、図１、図２に示すカムコーダ１００においては、データ修復を行うか否かをユーザに選択させるためのユーザインタフェース画面が表示されるとき、このユーザインタフェース画面に基づいてデータ修復を行うか否かが選択されるまで、他の動作モードに移行しないように制御されるので（図８参照）、カード装着部１２３からメモリカード１１５を取り外したユーザが直ちにデータ修復を行うことを選択する確率が高くなり、ユーザが記録媒体を異常状態のまま放置する可能性を低くできる。なお、制御部１０１は、この意味で、モード制御部を構成している。
【００６１】
また、図１、図２に示すカムコーダ１００においては、データ修復を行うか否かをユーザに選択させるためのユーザインタフェース画面に基づいてデータ修復を行わないことが選択されたとき、データの記録が中断されたために記録されずに残っているデータ（修復情報）が破棄される。そのため、記録部１１４は、カード装着部１２３に次に装着されるメモリカード１１５に対して正常に記録できる状態（撮影待機状態）となり、データ修復に要する時間を待たずに、記録可能とできる。
【００６２】
また、図１、図２に示すカムコーダ１００においては、データ修復を行うか否かをユーザに選択させるためのユーザインタフェース画面に基づいてデータ修復を行わないことが選択されたとき、データ修復の中止をユーザに確認させるためのユーザインタフェース画面がさらに表示され、データ修復の中止が確認されるとき、データの記録が中断されたために記録されずに残っているデータを破棄するものである。このように、ユーザの確認を求めることで、ユーザが誤ってデータ修復を行わないことを選択した場合に対処できる。
【００６３】
なお、上述実施の形態においては、記録媒体がメモリカード（メモリースティック）１１５であるものを示したが、この発明で取り扱う記録媒体は、メモリカードに限定されるものではなく、記録媒体装着部に着脱自在に装着されて使用されるものであれば、その他の記録媒体、例えば、ＨＤＤ、光ディスク等であってもよい。
【産業上の利用可能性】
【００６４】
この発明は、ユーザが記録媒体を異常状態のまま放置する可能性を低くできるものであり、例えば、メモリカードを記録媒体として使用するカムコーダ等に適用できる。
【図面の簡単な説明】
【００６５】
【図１】この発明の実施の形態としてのカムコーダの外観構成例を示す斜視図である。
【図２】この発明の実施の形態としてのカムコーダの回路構成例を示すブロック図である。
【図３】記録処理中にカード装着部からメモリカードが取り外されて記録データの記録が中断された後の画面表示例を示す図である。
【図４】記録処理中にカード装着部からメモリカードが取り外されて記録データの記録が中断された後の画面表示例を示す図である。
【図５】記録処理中にカード装着部からメモリカードが取り外されて記録データの記録が中断された後の画面表示例を示す図である。
【図６】記録処理中にカード装着部からメモリカードが取り外されて記録データの記録が中断された後の画面表示例を示す図である。
【図７】記録処理中にカード装着部からメモリカードが取り外されて記録データの記録が中断された後の画面表示例を示す図である。
【図８】記録処理中にカード装着部からメモリカードが取り外されて記録データの記録が中断された場合における、制御部の制御動作例を示すフローチャートである。
【符号の説明】
【００６６】
１００・・・カムコーダ、１０１・・・制御部、１０２・・・ユーザ操作部、１０３・・・電源回路、１０４・・・バッテリ、１０５・・・ＡＣ電源プラグ、１０６・・・電源スイッチ、１１１・・・撮像レンズ、１１２・・・撮像素子、１１３・・・撮像信号処理回路、１１４・・・記録部、１１４ａ・・・一時記憶部、１１５・・・メモリカード、１１６・・・ＯＳＤ回路（オンスクリーンディスプレイ回路）、１１６ａ・・・ＶＲＡＭ、１１７・・・重畳回路、１１８・・・ＬＣＤパネル、１１９・・・タッチパネル、１２０・・・本体部、１２２・・・回転接続部、１２３・・・カード装着部
【図１】
2009157986.tif 000003
【図２】
2009157986.tif 000004
【図８】
2009157986.tif 000005
【図３】
2009157986.tif 000006
【図４】
2009157986.tif 000007
【図５】
2009157986.tif 000008
【図６】
2009157986.tif 000009
【図７】
2009157986.tif 000010